(57)【要約】【課題】配送計画の作成を容易にする。【解決手段】第１の表７０１と第２の表７１０を同一画面内に表示し、第１の表７０１の情報を第２の表７１０にマウスでドラッグおよびドロップすると、その情報に関連したデータセットがメモリ上でも転記される。【選択図】　　　　図９
2004062680.tif 000002
【特許請求の範囲】
【請求項１】
配送計画に係る複数の表を作成する配送計画作成システムにおいて、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する表示手段であって、前記第１の表中に表示する情報を前記第１のデータセットの中の特定の情報に代表させ、前記第２の表中に表示する情報を前記第２のデータセットの中の特定の情報に代表させる表示手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転機先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具えたことを特徴とする配送計画作成システム。
【請求項２】
請求項１に記載の配送計画作成システムにおいて、前記指定手段はポインティングデバイスであって、該ポインティングデバイスのドラッグおよびドロップ操作により前記転記元の位置および転記先の位置を指定することを特徴とする配送計画作成システム。
【請求項３】
請求項１に記載の配送計画作成システムにおいて、前記表示画面中の前記転記を行なった第１の表中の情報を前記転記を行なわない情報と区別して強調表示することを特徴とする配送計画作成システム。
【請求項４】
請求項１に記載の配送計画作成システムにおいて、前記表示画面中の第１の表および第２の表をそれぞれ個別に前記表示画面上に表示可能であることを特徴とする配送計画作成システム。
【請求項５】
請求項４に記載の配送計画作成システムにおいて、個別に表示された前記第１の表または第２の表の状態を前記第１の表および第２の表の双方を表示する状態に戻すことが可能なことを特徴とする配送計画作成システム。
【請求項６】
請求項１に記載の配送計画作成システムにおいて、前記第１の表で代表させる特定の情報を該情報が含まれるデータセットの中から選択可能とすることを特徴とする配送計画作成システム。
【請求項７】
請求項１に記載の配送計画作成システムにおいて、前記第２の表で代表させる特定の情報の種類を該情報が含まれるデータセットの情報の種類の中から選択可能とすることを特徴とする配送計画作成システム。
【請求項８】
請求項１に記載の配送計画作成システムにおいて、前記指定手段の位置指定による前記記憶手段中の第１の表のデータセットの転記を禁止可能とすることを特徴とする配送計画作成システム。
【請求項９】
請求項８に記載の配送計画作成システムにおいて、前記表示画面中の第１の表の行ごとにチェックボタンを表示させ、該チェックボタンを前記指定手段による操作で前記第１の表のその行のデータセットの転記の許可／禁止を指示することを特徴とする配送計画作成システム。
【請求項１０】
請求項１に記載の配送計画作成システムにおいて、前記第２の表中での前記指定手段による転記元および転記先の位置指定に応じて、前記記憶手段中の第２の表のデータセットを転記可能とすることを特徴とする配送計画作成システム。
【請求項１１】
請求項１０に記載の配送計画作成システムにおいて、前記表示画面中の第２の表の行ごとにチェックボタンを表示させ、該チェックボタンを前記指定手段による操作で前記第２の表のその行に関するデータセットの転記の許可／禁止を指示することを特徴とする配送計画作成システム。
【請求項１２】
請求項１０に記載の配送計画作成システムにおいて、前記表示画面中に表示する第１の表およびまたは第２の表の情報の文字サイズを可変設定可能とすることを特徴とする配送計画作成システム。
【請求項１３】
配送計画に係る複数の表を作成する配送計画作成システムの配送計画作成方法において、
第１の表中の第１のデータセットおよび第２の表中の第２のデータセットを第２の表の位置に関連付けてそれぞれ記憶手段に記憶しておき、
前記第１の表および前記第２の表を表示画面の１画面中に表示する表示ステップであって、前記第１の表中に表示する情報を前記第１のデータセットの中の特定の情報に代表させ、前記第２の表中に表示する情報を前記第２のデータセットの中の特定の情報に代表させる表示ステップと、
前記表示画面上で、転記元の第１の表中の位置および転記先の第２の表中の位置を指定する指定ステップと、
当該指定に応じて、前記記憶手段の中の、前記指定ステップにおいて指定された位置に対応する転記元のデータセットを転機先の位置に対応する記憶手段の記憶領域に転記する第１の制御ステップと、
前記指定ステップでの指定に応じて表示画面中の前記第２の表の転記先の位置に、転記されたデータセットの中の特定の情報を表示させる第２の制御ステップと
を具えたことを特徴とする配送計画作成システムの配送計画作成方法。
【請求項１４】
請求項１３に記載の配送計画作成システムの配送計画作成方法において、前記指定ステップはポインティングデバイスにより位置指定を行なうステップであって、該ポインティングデバイスのドラッグおよびドロップ操作により前記転記元の位置および転記先の位置を指定することを特徴とする配送計画作成システムの配送計画作成方法。
【請求項１５】
請求項１３に記載の配送計画作成システムの配送計画作成方法において、前記表示画面中の前記転記を行なった第１の表中の情報を前記転記を行なわない情報と区別して強調表示することを特徴とする配送計画作成システムの配送計画作成方法。
【請求項１６】
請求項１３に記載の配送計画作成システムの配送計画作成方法において、前記表示画面中の第１の表および第２の表をそれぞれ個別に前記表示画面上に表示可能であることを特徴とする配送計画作成システムの配送計画作成方法。
【請求項１７】
請求項１６に記載の配送計画作成システムの配送計画作成方法において、個別に表示された前記第１の表または第２の表の状態を前記第１の表および第２の表の双方を表示する状態に戻すことが可能なことを特徴とする配送計画作成システムの配送計画作成方法。
【請求項１８】
請求項１３に記載の配送計画作成システムの配送計画作成方法において、前記第１の表で代表させる特定の情報を該情報が含まれるデータセットの中から選択可能とすることを特徴とする配送計画作成システムの配送計画作成方法。
【請求項１９】
請求項１３に記載の配送計画作成システムの配送計画作成方法において、前記第２の表で代表させる特定の情報の種類を該情報が含まれるデータセットの情報の種類の中から選択可能とすることを特徴とする配送計画作成システムの配送計画作成方法。
【請求項２０】
請求項１３に記載の配送計画作成システムの配送計画作成方法において、前記指定ステップでの位置指定による前記記憶手段中の第１の表のデータセットの転記を禁止可能とすることを特徴とする配送計画作成システムの配送計画作成方法。
【請求項２１】
請求項２０に記載の配送計画作成システムの配送計画作成方法において、前記表示画面中の第１の表の行ごとにチェックボタンを表示させ、該チェックボタンの操作で前記第１の表のその行のデータセットの転記の許可／禁止を指示することを特徴とする配送計画作成システムの配送計画作成方法。
【請求項２２】
請求項１３に記載の配送計画作成システムの配送計画作成方法において、前記第２の表中での前記指定ステップでの転記元および転記先の位置指定に応じて、前記記憶手段中の第２の表のデータセットを転記可能とすることを特徴とする配送計画作成システムの配送計画作成方法。
【請求項２３】
請求項２２に記載の配送計画作成システムの配送計画作成方法において、前記表示画面中の第２の表の行ごとにチェックボタンを表示させ、該チェックボタンの操作で前記第２の表のその行に関するデータセットの転記の許可／禁止を指示することを特徴とする配送計画作成システムの配送計画作成方法。
【請求項２４】
請求項１３に記載の配送計画作成システムの配送計画作成方法において、前記表示画面中に表示する第１の表およびまたは第２の表の情報の文字サイズを可変設定可能とすることを特徴とする配送計画作成システムの配送計画作成方法。
【請求項２５】
複数の表を作成するシステムの情報処理装置において、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する際に、前記第１の表中に表示する情報を前記第１のデータセットの中の特定の情報に代表させ、前記第２の表中に表示する情報を前記第２のデータセットの中の特定の情報に代表させる手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転記先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具えたことを特徴とする情報処理装置。
【発明の詳細な説明】
【０００１】
【発明の属する技術分野】
本発明は、車両の配送計画を作成する配送計画作成システムおよびその方法に関する。
【０００２】
【従来の技術】
従来、コンピュータを使用して配送計画を作成する場合、縦に車両番号、横に作業先を示す表を画面に表示させ、表を埋める形で車両の配送ルートを示す配送計画を作成している。表は日付ごとに作成されて、コンピュータ内の記憶装置に記憶される。また、業務の内容応じて行と縦の情報内容が異なる表を配送計画の一部として作成することも多い。
【０００３】
【発明が解決しようとする課題】
表に記載されている情報を他の表に自動的に転記する情報処理技術は知られているが、転記元と転記先の表の対応付け、転記位置の定義などがわずらわしという問題がある。また、自動転記は、一度転記の定義を設定してしまうと、その定義を変更しない限りユーザが他の転記位置に情報を転記できないという問題点もある。また、通常、表の列と行で定まる欄に記載するデータは１種類だけであり、多数の情報を１つの欄に記載すると表示領域がとてつもなく大きくなってしまうという問題がある。
【０００４】
そこで、本発明の目的は、配送計画を表す複数の表を作成する場合に、共通する情報をユーザが容易に転記することができる配送計画作成システムおよびその方法を提供することにある。
【０００５】
【課題を解決するための手段】
このような目的を達成するために、請求項１の発明は、配送計画に係る複数の表を作成する配送計画作成システムにおいて、第１の表中の第１のデータセットおよび第２の表中の第２のデータセットを第２の表の位置に関連付けてそれぞれ記憶した記憶手段と、前記第１の表および前記第２の表を表示画面の１画面中に表示する表示手段であって、前記第１の表中に表示する情報を前記第１のデータセットの中の特定の情報に代表させ、前記第２の表中に表示する情報を前記第２のデータセットの中の特定の情報に代表させる表示手段と、前記表示画面上で、転記元の第１の表中の位置および転記先の第２の表中の位置を指定する指定手段と、当該指定に応じて、前記記憶手段の中の、前記指定手段により指定された位置に対応する転記元のデータセットを転機先の位置に対応する記憶手段の記憶領域に転記する第１の制御手段と、前記指定手段の指定に応じて表示画面中の前記第２の表の転記先の位置に、転記されたデータセットの中の特定の情報を表示させる第２の制御手段とを具えたことを特徴とする。
【０００６】
請求項２の発明は、請求項１に記載の配送計画作成システムにおいて、前記指定手段はポインティングデバイスであって、該ポインティングデバイスのドラッグおよびドロップ操作により前記転記元の位置および転記先の位置を指定することを特徴とする。
【０００７】
請求項３の発明は、請求項１に記載の配送計画作成システムにおいて、前記表示画面中の前記転記を行なった第１の表中の情報を前記転記を行なわない情報と区別して強調表示することを特徴とする。
【０００８】
請求項４の発明は、請求項１に記載の配送計画作成システムにおいて、前記表示画面中の第１の表および第２の表をそれぞれ個別に前記表示画面上に表示可能であることを特徴とする。
【０００９】
請求項５の発明は、請求項４に記載の配送計画作成システムにおいて、個別に表示された前記第１の表または第２の表の状態を前記第１の表および第２の表の双方を表示する状態に戻すことが可能なことを特徴とする。
【００１０】
請求項６の発明は、請求項１に記載の配送計画作成システムにおいて、前記第１の表で代表させる特定の情報を該情報が含まれるデータセットの中から選択可能とすることを特徴とする。
【００１１】
請求項７の発明は、請求項１に記載の配送計画作成システムにおいて、前記第２の表で代表させる特定の情報の種類を該情報が含まれるデータセットの情報の種類の中から選択可能とすることを特徴とする。
【００１２】
請求項８の発明は、請求項１に記載の配送計画作成システムにおいて、前記指定手段の位置指定による前記記憶手段中の第１の表のデータセットの転記を禁止可能とすることを特徴とする。
【００１３】
請求項９の発明は、請求項８に記載の配送計画作成システムにおいて、前記表示画面中の第１の表の行ごとにチェックボタンを表示させ、該チェックボタンを前記指定手段による操作で前記第１の表のその行のデータセットの転記の許可／禁止を指示することを特徴とする。
【００１４】
請求項１０の発明は、請求項１に記載の配送計画作成システムにおいて、前記第２の表中での前記指定手段による転記元および転記先の位置指定に応じて、前記記憶手段中の第２の表のデータセットを転記可能とすることを特徴とする。
【００１５】
請求項１１の発明は、請求項１０に記載の配送計画作成システムにおいて、前記表示画面中の第２の表の行ごとにチェックボタンを表示させ、該チェックボタンを前記指定手段による操作で前記第２の表のその行に関するデータセットの転記の許可／禁止を指示することを特徴とする。
【００１６】
請求項１２の発明は、請求項１０に記載の配送計画作成システムにおいて、前記表示画面中に表示する第１の表およびまたは第２の表の情報の文字サイズを可変設定可能とすることを特徴とする。
【００１７】
請求項１３の発明は、配送計画に係る複数の表を作成する配送計画作成システムの配送計画作成方法において、第１の表中の第１のデータセットおよび第２の表中の第２のデータセットを第２の表の位置に関連付けてそれぞれ記憶手段に記憶しておき、前記第１の表および前記第２の表を表示画面の１画面中に表示する表示ステップであって、前記第１の表中に表示する情報を前記第１のデータセットの中の特定の情報に代表させ、前記第２の表中に表示する情報を前記第２のデータセットの中の特定の情報に代表させる表示ステップと、前記表示画面上で、転記元の第１の表中の位置および転記先の第２の表中の位置を指定する指定ステップと、当該指定に応じて、前記記憶手段の中の、前記指定ステップにおいて指定された位置に対応する転記元のデータセットを転機先の位置に対応する記憶手段の記憶領域に転記する第１の制御ステップと、前記指定ステップでの指定に応じて表示画面中の前記第２の表の転記先の位置に、転記されたデータセットの中の特定の情報を表示させる第２の制御ステップとを具えたことを特徴とする。
【００１８】
請求項１４の発明は、請求項１３に記載の配送計画作成システムの配送計画作成方法において、前記指定ステップはポインティングデバイスにより位置指定を行なうステップであって、該ポインティングデバイスのドラッグおよびドロップ操作により前記転記元の位置および転記先の位置を指定することを特徴とする。
【００１９】
請求項１５の発明は、請求項１３に記載の配送計画作成システムの配送計画作成方法において、前記表示画面中の前記転記を行なった第１の表中の情報を前記転記を行なわない情報と区別して強調表示することを特徴とする。
【００２０】
請求項１６の発明は、請求項１３に記載の配送計画作成システムの配送計画作成方法において、前記表示画面中の第１の表および第２の表をそれぞれ個別に前記表示画面上に表示可能であることを特徴とする。
【００２１】
請求項１７の発明は、請求項１６に記載の配送計画作成システムの配送計画作成方法において、個別に表示された前記第１の表または第２の表の状態を前記第１の表および第２の表の双方を表示する状態に戻すことが可能なことを特徴とする。
【００２２】
請求項１８の発明は、請求項１３に記載の配送計画作成システムの配送計画作成方法において、前記第１の表で代表させる特定の情報を該情報が含まれるデータセットの中から選択可能とすることを特徴とする。
【００２３】
請求項１９の発明は、請求項１３に記載の配送計画作成システムの配送計画作成方法において、前記第２の表で代表させる特定の情報の種類を該情報が含まれるデータセットの情報の種類の中から選択可能とすることを特徴とする。
【００２４】
請求項２０の発明は、請求項１３に記載の配送計画作成システムの配送計画作成方法において、前記指定ステップでの位置指定による前記記憶手段中の第１の表のデータセットの転記を禁止可能とすることを特徴とする。
【００２５】
請求項２１の発明は、請求項２０に記載の配送計画作成システムの配送計画作成方法において、前記表示画面中の第１の表の行ごとにチェックボタンを表示させ、該チェックボタンの操作で前記第１の表のその行のデータセットの転記の許可／禁止を指示することを特徴とする。
【００２６】
請求項２２の発明は、請求項１３に記載の配送計画作成システムの配送計画作成方法において、前記第２の表中での前記指定ステップでの転記元および転記先の位置指定に応じて、前記記憶手段中の第２の表のデータセットを転記可能とすることを特徴とする。
【００２７】
請求項２３の発明は、請求項２２に記載の配送計画作成システムの配送計画作成方法において、前記表示画面中の第２の表の行ごとにチェックボタンを表示させ、該チェックボタンの操作で前記第２の表のその行に関するデータセットの転記の許可／禁止を指示することを特徴とする。
【００２８】
請求項２４の発明は、請求項１３に記載の配送計画作成システムの配送計画作成方法において、前記表示画面中に表示する第１の表およびまたは第２の表の情報の文字サイズを可変設定可能とすることを特徴とする。
【００２９】
請求項２５の発明は、複数の表を作成するシステムの情報処理装置において、第１の表中の第１のデータセットおよび第２の表中の第２のデータセットを第２の表の位置に関連付けてそれぞれ記憶した記憶手段と、前記第１の表および前記第２の表を表示画面の１画面中に表示する際に、前記第１の表中に表示する情報を前記第１のデータセットの中の特定の情報に代表させ、前記第２の表中に表示する情報を前記第２のデータセットの中の特定の情報に代表させる手段と、前記表示画面上で、転記元の第１の表中の位置および転記先の第２の表中の位置を指定する指定手段と、当該指定に応じて、前記記憶手段の中の、前記指定手段により指定された位置に対応する転記元のデータセットを転記先の位置に対応する記憶手段の記憶領域に転記する第１の制御手段と、前記指定手段の指定に応じて表示画面中の前記第２の表の転記先の位置に、転記されたデータセットの中の特定の情報を表示させる第２の制御手段とを具えたことを特徴とする。
【００３０】
【発明の実施の形態】
以下、図面を参照して本発明の実施形態を詳細に説明する。
【００３１】
図１は本発明を適用した配送計画作成システムのシステム構成を示す。
【００３２】
図１において、サーバ１０に対して複数のクライアント２０が通信ネットワーク３０に接続されている。クライアント２０は端末としての機能を有する。サーバ１０はホストとしての機能を有し、クライアント２０から入力された情報に基づいてサーバ１０が配送計画を作成する。サーバ１０およびクライアント２０の市販のハードウェア（コンピュータ）、すなわちディプレイ、情報入力用のマウス、キーボードおよびソフトウェアを実行するＣＰＵ等を有するコンピュータを使用することができる。
【００３３】
図４は、本発明にかかるサーバのハードウェア構成の一例を示すブロック図である。なお、クライアントのＰＣはサーバと同様のハードウェア構成とすることができる。サーバは、サーバ全体の制御を行う中央処理装置（Ｃｅｎｔｒａｌ　Ｐｒｏｃｅｓｓｏｒ　Ｕｎｉｔ；ＣＰＵ）１０−５と、図１０および図１１に示すフローのサーバに対応したプログラムが格納されたＲＯＭ（Ｒｅａｄ　Ｏｎｌｙ　Ｍｅｍｏｒｙ）１０−１と、プログラムの実行に必要な一時データ格納領域を提供するＲＡＭ（Ｒａｎｄｏｍ　Ａｃｃｅｓｓ　Ｍｅｍｏｒｙ）１０−３とを備え、これらがバス１０−１７を介して接続されている。また、サーバは、サーバの保守用のデータを入力するための入力装置１０−７と、保守管理のための表示装置１０−１１、カーソル制御装置１０−１３と、インターネットとの接続を行う通信装置１０−９と、商品情報、顧客情報等とともに発注状況等および配送計画を登録するデータベースとしての補助記憶装置１０−１５とを備え、これらがバス１０−１７とインタフェース１０−１９を介してＣＰＵ１０−５に接続されている。
【００３４】
入力装置１０−７は、例えばキーボードなどにより構成され、文字や数字などを入力するときに操作される。通信装置１０−９は、例えばインターネット／ＷＷＷ（Ｗｏｒｌｄ　Ｗｉｄｅ　Ｗｅｂ）へのデータ通信接続を可能とする統合サービスディジタル網（ＩＳＤＮ）カード、またはモデムとすることができる。表示装置１０−１１は、プリンタやディスプレイを使用することができる。なお、本実施形態では文字や画像などの表示を行うＣＲＴ、ＬＣＤなどのディスプレイを想定している。補助記憶装置１０−１５はハードディスクなどにより構成され、比較的高速にアクセスする必要のあるデータやプログラムなどを適宜記憶する。
【００３５】
また、サーバの補助記憶装置１０−１５にはデータベースが構築される。データベースには、商品に関するデータ、在庫情報に関するデータおよび発注元に関するデータが登録されるが、これに限られない。商品に関するデータは、商品名、商品コード、単価等を含む。在庫情報に関するデータは、倉庫名、倉庫コード、在庫商品の商品コード、在庫商品の個数等を含む。発注元に関するデータは、発注元の名称、届け先、部署、郵便番号、電話番号、住所（所在地）、住所コード、担当者等を含む。届け先の住所コードと届け先に商品を配送する出庫元の倉庫コードとは対応付けて定義され、住所コードを参照すると出庫元が判別出来るようになっている。更に配送の為のデータも記憶されている。
【００３６】
図４は、図３に示すクライアント２０のＰＣのハードウェア構成の一例を示すブロック図である。クライアントのＰＣは、ＰＣ全体の制御を行う中央処理装置（Ｃｅｎｔｒａｌ　Ｐｒｏｃｅｓｓｏｒ　Ｕｎｉｔ；ＣＰＵ）２０−５と、図１０および図１１に示すフローのクライアントに対応するプログラムが格納されたＲＯＭ（Ｒｅａｄ　Ｏｎｌｙ　Ｍｅｍｏｒｙ）２０−１と、プログラムの実行に必要な一時データ格納領域を提供するＲＡＭ（Ｒａｎｄｏｍ　Ａｃｃｅｓｓ　Ｍｅｍｏｒｙ）２０−３を備え、これらがバス２０−１７を介して接続されている。また、ＰＣは、ＰＣのデータを入力するための入力装置２０−７と、インターネットとの接続を行う通信装置２０−９と、サーバからクライアントのＰＣに送信される情報に基づいて表示画面を生成する表示装置２０−１１、クライアントのキーボードから受信した制御信号に基づいて表示画面のカーソルを制御するカーソル制御装置２０−１３と、検索結果などの商品情報、顧客情報等とともに発注状況等を記憶するメモリとしての補助記憶装置２０−１５とを備え、これらがバス２０−１７とインタフェース２０−１９を介してＣＰＵ２０−５に接続されている。
【００３７】
入力装置２０−７は、例えばキーボードなどにより構成され、文字や数字などを入力するときに操作される。通信装置２０−９は、例えばインターネット／ＷＷＷ（Ｗｏｒｌｄ　Ｗｉｄｅ　Ｗｅｂ）へのデータ通信接続を可能とする統合サービスディジタル網（ＩＳＤＮ）カード、またはモデムとすることができる。表示装置２０−１１は、プリンタやディスプレイを使用することができる。なお、本実施形態では文字や画像などの表示を行うＣＲＴ、ＬＣＤなどの表示体を利用するディスプレイを想定している。補助記憶装置２０−１５はハードディスクなどにより構成され、比較的高速にアクセスする必要のあるデータやプログラム等を適宜記憶する。
【００３８】
通信ネットワーク３０はＬＡＮ（広域ネットワーク）、インターネットのような専用電話回線、その他、利用可能な周知の通信ネットワークを使用することができる。
【００３９】
クライアント２０のＲＯＭ２０−１或いは補助記憶装置２０−１５には、ＨＴＭＬ（ハイパー・テキスト・マークアップ・ランゲージ）文書などのマークアップ文書を解析して表示するソフト（一般にブラウザと呼ばれる）が搭載されている。
【００４０】
サーバ１０のＲＯＭ２０−１或いは補助記憶装置２０−１５に搭載するソフトウェアを図２に示す。図２において、ＷＥＢサーバ１００は、クライアント２０と通信を行なうためのソフトである。ＷＥＢサーバ１００には市販のソフトを使用することができる。ＷＥＢサーバ１００はクライアント２０のブラウザが要求するＨＴＭＬ文書をサーバ１０内のハードディスクから読み出して、クライアント２０に送信する機能と、上記ブラウザから送られるコマンドを上述のゲートウェイプログラムに転送する機能を有する。
【００４１】
ＨＴＭＬ文書１１０はクライアント２０により読み出され、クライアント２０のブラウザにより解析されて、クライアント２０の表示画面に表示される。ゲートウェイプログラム１２０は、コモン・ゲートウェイ・インターフェースなどが知られているが、ＷＥＢサーバ１００を介してブラウザから受信したコマンドを実行する。本実施形態に係る処理としてはデータベース１３０に対する情報の書込み、読み出し、検索、四則演算等がある。
【００４２】
データベース１３０は補助記憶装置上に設けられ、配送計画作成のためにクライアント２０から入力された情報や、作成した配送計画を記憶する。
【００４３】
ここで、ＨＴＭＬ文書（ＨＴＭＬ文書を拡張したＸＭＬ文書等もＨＴＭＬ文書に含まれる）について簡単に説明しておく。
【００４４】
ＨＴＭＬ文書には、表示する文字列、タグと呼ばれる命令、スクリプトと呼ばれる命令群等を記載する。
【００４５】
タグで規定することができる代表的な事項は以下のとおりである。
（１）表示する文字の書体、大きさ、色、表示の位置等
（２）表示する表の定義、たとえば、行とフィールド数（列数）、それらの大きさ
（３）表示するイメージをサーバ１０から読み出すための読み出し命令
（４）情報の入力を受けつける入力欄の表示、および入力を受付け、サーバ１０のゲートウェイプログラム１２０に入力情報を送り、情報処理を支持すること
（５）ゲートウェイプログラム１２０から情報処理結果を受け取り、画面に表示させること
（６）他のＨＴＭＬ文書を呼び出すこと
（７）ボタンを表示し、ボタンの操作に応じて予め規定された情報処理の実行をサーバ１０に対して指示し、サーバ１０から受け取った情報処理結果を表示すること
（８）その他
スクリプトで規定することができる代表的な事項は以下のとおりである。
（１）ブラウザに付属されている複数のプログラム（アプレットなどと呼ばれる）に情報処理を実行させること、本発明に係る後述のドラッグおよびドロップ処理もスクリプトで実現可能である。また、四則演算やタグと同様の命令をスクリプト中で規定することもできる。
【００４６】
本実施形態では、このようなＨＴＭＬ文書により後述される画面が定義され、クライアント２０の表示装置に表示される情報入力画面を作り、またその画面を表示し、その画面を介して配送計画作成のための情報入力を行なう。また、その情報入力のためのＧＵＩ（グラフィカル・ユーザ・インタフェース）にも新規特徴がある。
【００４７】
当業者であれば、後述の入力画面の説明およびシステム動作説明で、ＨＴＭＬ文書を作成することが可能であろう。
【００４８】
システム動作に先立って、上記ＨＴＭＬ文書により実現される入力画面を図５〜図９を参照して説明する。
【００４９】
図５は１台の車両が物品を配送する場合に、その配送に関する情報を入力するための入力画面を示す。図５において、３０１は配送に割り当てられた番号（配送サービスＮｏ）や配送に関連する部署名などを入力する欄であり、複数の作業先に共通する関連情報を入力する。この共通情報は、輸送会社ごとに異なるので、適宜、好適な情報入力欄を設ければよい。
【００５０】
３０２〜３０４は複数の作業先に関する情報を個別に表示する欄である。本実施形態では、未入力の状態では、表示領域３０２〜３０４は白紙の状態である。このとき、表示領域３０２内のいずれかの位置をマウスにより指定すると（正確には、表示領域３０２内にマウスカーソルを位置させて、マウスの左ボタンをクリックすると）、作業先関連情報を入力するモードが設定されて、図６の作業先選択ボタンが表示される。図６の作業先選択ボタン４０１の所定のボタン、通常、最初は「倉庫」ボタンをマウスにより操作すると選択されたボタンに対応する作業先（この場合、倉庫）に関連する情報を入力するための入力画面が表示される。また、不図示の「閉じる」ボタンを操作すると図７の画面から図５の画面に戻ることができる。「次作業先」ボタン（不図示）を操作すると、図６の作業先選択ボタンが表示されるので、システムユーザは他の作業先の入力画面を選択して情報入力を行なう。
【００５１】
図７の画面で「閉じる」ボタンを操作すると、図７の画面で入力された情報の中の予め定められた項目に関する情報が要約として図５の表示領域３０２に表示される。なお、複数の作業先の情報入力画面を表示してキーボードやマウスを使用して情報入力を行なった場合、たとえば、２つの作業先に関連する情報を入力した後、「閉じる」ボタンを操作した場合には、図８に示すように表示領域３０２および３０３に要約が表示される。
【００５２】
ここで、留意して欲しい点は、作業先関連情報の入力順を作業予定順とすることによって、要約の表示が車両の配送経路に沿って表示されることである。また、作業先関連情報の中の重要項目を要約として表示するので、表示画面を広く取る必要がない。また、表示画面の表示内容をシートに印刷する場合も、シートをたとえば、Ａ４サイズなどの通常、よく使用されるシートサイズとすることができる。
【００５３】
このようにして１台の車両の作業先関連情報（共通情報と、個別の作業先情報）をクライアント２０側で入力すると入力された情報は、クライアントからサーバ１０のデータベース１３０に登録される。
【００５４】
複数台の車両の配送計画を立案するための入力画面を図７に示す。なお、予め各車両の配送関連情報（図５〜図８の画面で入力された情報）がデータベース１３０に入力されているものとする。
【００５５】
図９の画面において、表示領域は大きく表示領域７０１と表示領域７１０の２つに分割されている。表示領域７０１はサービスＮｏ、配送地域および作業先をフィールドとする表（依頼一覧と称す）を表示する領域である。表示領域７１０はルートコード（配送経路に割り当てられた識別番号で、図５の画面で入力される情報）、これまでに配送が設定された物品の（総）重量、配送時刻等をフィールドとする表（配送計画と称する）を表示する領域である。
【００５６】
その他の表示領域には検索条件、より具体的には上記依頼一覧および配送計画に関する情報をデータベース１３０から検索するための検索条件を入力するための入力・表示欄７１１や、画面の表示形態を設定するためのボタン７０２、７０４、７０５が設けられている。
【００５７】
以下、図９のボタンや入力・表示欄について説明する。
【００５８】
ボタン７０２は表示領域７０１および７１０を表示させるボタンである。本実施形態では、表示領域７０１のみまたは表示領域７１０のみを画面全体に表示させることができ、その画面を元の２つの表示領域の表示に戻すときに、ボタン７０２を使用する。
【００５９】
表示領域７０３は、画面に表示されている配送依頼案件の総数を表示する領域である。ボタン７０４は表示領域７０１または表示領域７１０を画面全体に拡大表示するための指示ボタンである。ボタン７０４は表示領域７０１および７１０に対応させて２つ設けられている。設定欄７０５は表示領域７１０の表で表示される情報の文字サイズを設定する欄である。
【００６０】
設定欄７０６は、表示領域７０１または７１０の表の内に表示する情報（コマと称する）７０７の種類内容を設定する欄であり、本実施形態では、作業先住所、配送サービスＮｏ、作業先名のいずれかを選択することができる。ロックボタン７０７は表の行ごとに設けられており、マウスの操作でレ記号が付された状態ではコマの移動が禁止され、コマを移動させることができない。
【００６１】
ボタン７０９は入力の終了を指示するボタンであり、このボタン７０９が操作されると、図９の画面で表示されている情報と同じ情報がデータベース１３０の対応記憶領域に上書き記憶される。
【００６２】
入力・表示欄７１１は配送一覧に表示する情報を検索するためのクエリー（キーとも称する）を入力する。本実施形態では、倉庫名、便機能分類、配送日等をクエリーとして入力することができ、さらに、オプションとして、時刻指定がある案件、付帯的な作業がある依頼案件、下見を要する依頼案件、特殊作業がある依頼案件、配送車両の車高制限がある依頼案件を検索条件として指定することができる。
【００６３】
本実施形態では、多数の新規特徴を有するが、表領域７０１に表示される依頼一覧の中のコマ（表の中に表示される情報）をマウスでドラッグおよびドロップして、表示領域７１０の配送計画の表の任意の位置に配置させることにより配送計画を作成することに新規特徴の１つがある。
【００６４】
以上の点を踏まえて、図１のシステムの動作を図１０および図１１のフローを参照して説明する。
【００６５】
複数のクライアント２０は、各営業所および本社の配送計画立案者のそばに配置されており、サーバ１０は本社に設置されているものとする。
【００６６】
物品の配送の依頼を受けた営業所では、システムユーザがクライアント２０のブラウザを使用して、図５の画面用のＨＴＭＬ文書をサーバから呼び出す。通常は、そのＨＴＭＬ文書の格納ディレクトリ（ＵＲＬと呼ばれる）を入力することにより、図３の画面用のＨＴＭＬ文書を呼び出すことができる。
【００６７】
システムユーザが、図５〜図７の画面で、作業先、すなわち、物品が保管された倉庫、その物品を配送する顧客、顧客から受け取った物品を搬送する搬送先などの作業先に関連する情報および、これら作業先に共通する情報に関する情報入力をクライアント２０で行なうと、クライアント２０のＲＡＭ２０−３にワークエリアに入力された情報は、書込みコマンド（ＨＴＭＬ文書中に記載された書込みコマンド）とともにサーバ１０に送られる。
【００６８】
サーバ１０では、ＷＥＢサーバ１００によりクライアント２０から送られる図３の画面用のＨＴＭＬ文書の要求に応じて、該当のＨＴＭＬ文書１１０をクライアント２０に送信する。次にクライアント２０で図３の画面により入力される情報が受信され、ゲートウェイプログラム１２０に引渡される。ゲートウェイプログラム１２０は書込み命令に基づき、データベース１３０に上記配送に関する個別情報および共通情報をデータベースに登録する。
【００６９】
本社の配送計画立案者はクライアント２０を使用して、図９の画面用のＨＴＭＬ文書をサーバ１０から呼び出す。配送計画立案者は、配送計画の日付、検索条件を図９の画面を使い入力装置２０−７から入力する。入力された検索条件と、検索コマンド（ＨＴＭＬ文書内で定義）とがクライアント２０からサーバ１０に送られる。
【００７０】
サーバ１０のＷＥＢサーバ１００を介して検索コマンドと検索条件を受信したゲートウェイプログラム１２０は、データベース１３０に対して検索をかけ、検索条件に合致した情報（登録された作業先関連情報）を抽出する。抽出された情報、すなわち、検索結果がＷＥＢサーバ１００を介してサーバ１０からクライアント２０に送られる。
【００７１】
クライアント２０のブラウザは受信した検索結果を、図９の画面の表示領域７０１の表、すなわち、依頼一覧に表示させる。図９の「１」という表記のフィールドには図５の作業先１にその要約が貼り付けられた作業先関連情報を示す情報（この場合、作業先住所）がＨＴＭＬ文書のタグまたはスクリップトの指示に基づき表示される。
【００７２】
同様にして図９のフィールドには図５の作業先２に要約が貼り付けられた作業先関連情報の中の作業先住所がＨＴＭＬ文書のタグまたはスクリップトの指示に基づき表示される。
【００７３】
クライアント２０内のＲＡＭ２０−３内のワークメモリ内には依頼一覧および作業計画のコマに対応する作業先情報（図５の画面で入力された複数のデータ集合、データセットと称する）を記憶するための記憶領域が用意される。
【００７４】
また、表示領域７１０のルートレコードのフィールドには、データベース１３０から抽出され、クライアント２０に送信された情報の中のルートレコードに関する情報が表示され、その他のフィールドは空欄のままとなる。
【００７５】
表示する情報は設定欄７０６で選択された種類に対応する情報が、受信した情報の中から抽出される。図９の例では表示領域７０１の依頼一覧では作業先住所が表内に表示され、表示領域７１０の配送計画では配送サービスＮｏが、表内に表示される。
【００７６】
配送立案者は依頼一覧の中の特定のコマ（表の中の文字列）、たとえば、符号７１２で示すコマをマウスで指定した後、ドラッグして配送計画の表内の所定の位置、すなわち、ルートレコードまたは地域が合致する行で、配送したい時刻の列の位置にドロップする。これにより、コマ７１２で指定されたデータセットがＲＡＭ２０−３内のワークメモリ内の依頼一覧の該当記憶領域（マウスで最初に指定したコマに対応する記憶領域）からＲＡＭ２０−３内のワークエリア内の配送計画の該当記憶領域（マウスでドロップした位置に対応する記憶領域）にコピー記憶される。また、ボタン７０６で指定された情報、この場合、配送Ｎｏがコピー記憶した情報から取り出されて、配送計画内のドロップ位置に表示される。なお、図９では、ドロップされる前の状態を表示している。
【００７７】
このようなドラッグおよびドロップ操作を行うことで（図１０のステップＳ１０〜Ｓ３０の処理）、クライアント２０のブラウザは指定されたコマの作業先関連情報のデータセットがＲＡＭ２０−３内のワークメモリ内の依頼一覧領域から作業計画一覧領域にコピー記憶されて、作業計画、すなわち、依頼された物品を運ぶ、ルートおよび時刻が決定される（ステップＳ４０〜Ｓ５０）。これら一連の処理はＨＴＭＬ文書のスクリプトの定義にしたがって、クライアント２０側で実行される。
【００７８】
さらに、ドロップ処理された行については、その行に配置された作業案件のデータセットの中の物品重量が合計されて重量フィールドの表示が更新される。
【００７９】
以上の処理を作業先ごとに繰り返すと、作業計画が完成する。
【００８０】
配送計画立案者が図９の画面を印刷させた後、図９の「確定」ボタン７０９をマウスで操作すると、ＲＡＭ２０−３内のワークメモリの配送計画領域に記憶されたデータセットがクライアント２０からサーバ１０に送られて、ゲートウェイプログラム１２０によりデータベース１３０の専用領域に書き込まれる。
【００８１】
配送計画立案者が、配送計画の修正を行ないたい場合には、図９の画面で検索条件を入力すると、検索条件に合致し、依頼一覧にコマとして表示するデータセットおよび配送計画一覧にコマとして表示すべきデータセットがデータベース１３０から読み出されて、クライアント２０の図９の画面に表示される。計画立案者は、配送計画一覧のコマをドラッグおよびドロップ操作すると、ＲＡＭ２０−３内のワークメモリ上のデータセットもコマの移動に対応して、記憶領域が移動する。「確定」ボタン７０９の操作に応じて、変更後の依頼一覧および配送計画のデータセットがサーバ１０のデータベース１３０に上書き記憶される。
【００８２】
データベース１３０から配送計画関連のデータセットを取り出すためには以下の処理を行なえばよい。検索条件に合致する作業先関連のデータセットの中にはルートレコードが含まれているので、そのルートレコードに合致するデータセットをデータベース１３０の作業計画データセット記憶領域から簡単に取り出すことができる。
【００８３】
このように図９の表示画面で配送計画を作成した後、作成した書類を印刷し、印刷結果に基づき、輸送車両の手配を行なう。
【００８４】
本実施形態では、さらに、図５の作業先の要約の表示が作業順（配送および物品の収集の作業順）となるように作業順をチェックする機能を持たせている。このための処理手順を図１１に示す。この処理手順に対応する入力処理を実行可能なように図５〜図９の画面用のＨＴＭＬ文書のタグおよびスプリプトが定義されている。
【００８５】
作業順の制約のチェックのための判断基準は以下の通りである。
基準（１）：図５の作業先１にくる作業先は保管先（収集した物品を保管する場所）であってはならない。
基準（２）：「倉庫」が作業先として選択される場合は、作業先２以降であってはならない。
基準（３）：作業先への配送品または作業先から受け取る廃棄商品（収集する物品）に関して制約を設ける。制約は物品の内容や、作業先での車高制限の有無である。
【００８６】
図１１を参照して上記チェック機能を説明する。システムユーザは図５の画面で作業先１の領域３０２を指定して、作業先選択ボタン（作業先タグ）を図６の４０１で操作すると、かかる操作が認識され、次の処理が行われる（ステップＳ１００→Ｓ１１０）。ここで、システムユーザが「保管先」ボタンを操作すると、ステップＳ１１２で、ＣＰＵ２０−５により操作されたボタンの種類判別が行なわれ、上記基準（１）の違反、すなわち、「保管先」ボタンの操作が検出されて、エラー表示がなされる（ステップＳ１１５）。また、入力情報が無効化される。
【００８７】
また、上記作業先選択ボタンで「顧客」ボタンを選択すると、かかる操作がＣＰＵ２０−５により認識され、入力画面がＲＯＭ２０−１若しくは補助記憶装置２０−１５から導かれ、表示装置２０−１１に顧客情報に関する入力画面（不図示）が現れる。この画面で情報入力を行なった後、図７などのように作業先関連情報入力画面の右上に設置されている「次作業先」ボタン５０２を操作すると、かかる操作が認識され、図６の作業先選択ボタンが表示される（ステップＳ１３０→Ｓ２００）。システムユーザがまちがって倉庫を作業先として選択した場合には、ステップＳ２１０で上記基準（２）の違反が検出されてエラー表示がなされる（ステップＳ２０５）。
【００８８】
また、システムユーザが他の作業先を選択した場合には、「次作業先」ボタンの操作に応じてステップＳ２００〜Ｓ２３０のループ処理により新たに「倉庫」選択ボタンが操作されたか否かがＣＰＵ２０−５によりチェックされる（ステップＳ２１０）。
【００８９】
入力作業が終了して、システムユーザが「閉じる」ボタンを操作すると、これまでに入力された作業先関連情報の要約が、図５の表示領域３０２〜３０４に表示される（ステップＳ２４０→Ｓ２５０）。最後に、ステップＳ２６０で、上記基準（３）の違反の有無が判定される。違反が生じた場合には、エラー表示がなされ入力が無効化される（ステップＳ２６５）。
【００９０】
以上の処理は複数の作業先が選択された場合の処理であるが、作業先が１つしか選択されなかった場合には、手順はステップＳ１００〜Ｓ１６０へと進み、ステップＳ１６０で上記基準（３）違反の有無が判定される。違反が検出された場合にはエラー表示がなされ、入力情報が無効化される。
【００９１】
このような処理手順によりシステムユーザの作業先の選択順をチェックすることで、システムユーザの設定した作業先の順番が通常ありえない車両の搬送ルートにならないようにすることができる。
【００９２】
１）上述の実施形態では図５の画面で作業先の情報入力を行なうようにしている。しかしながら、図５の画面表示で、入力情報が空欄となっている状態と同じ記載内容を有するシートを予め用意しておき、必要事項を、手書きで記載するようにしてもよい。この場合には、このようなシートを使用すると、配送計画作成システムを使用しない場合の配送計画の管理に役立つ。図５の画面入力において、シートの書式（入力欄の配置および表記）と表示画面の書式が同じなので、コンピュータの操作に詳しくないものも容易に情報入力を行なうことができる。
【００９３】
シートはクライアント２０に接続されたプリンタにより印刷してもよいし、別途印刷してもよい。
【００９４】
２）上述の実施形態ではＨＴＭＬ文書でクライアント側の入力画面を作成していたが、ＨＴＭＬ文書の機能と同じ機能を提供するようなプログラムをクライアント側に搭載してもよい。
【００９５】
３）上述のシステムではクライアントおよびサーバで配送計画作成システムを構築したが、端末とホストコンピュータでシステムを構築してもよいし、１台のコンピュータでシステムを構築してもよい。
【００９６】
４）上述の実施形態でクライアント２０が実行した情報処理をサーバ１０側で一部負担してもよいこと勿論である。
【００９７】
５）上述の実施形態では、ＨＴＭＬ文書を使って説明したが他の方法・手段により同様の機能・処理を実現することは勿論である。
【００９８】
本願特許請求の範囲に記載された構成要件と上記実施形態中の構成部との対応関係を説明しておく。（）部が上述の実施形態の対応個所である。
【００９９】
（請求項１）　　配送計画に係る複数の表を作成する配送計画作成システム（例えば、図１の全体システム）において、
第１の表中の第１のデータセットおよび第２の表中の第２のデータセットを第２の表の位置に関連付けてそれぞれ記憶した記憶手段（例えば、サーバ１０内のワークメモリ）と、
前記第１の表および前記第２の表を表示画面の１画面中に表示する表示手段であって、前記第１の表中に表示する情報を前記第１のデータセットの中の特定の情報に代表させ、前記第２の表中に表示する情報を前記第２のデータセットの中の特定の情報に代表させる表示手段（例えば、クライアント２０のディスプレイ、図９参照）と、
前記表示画面上で、転記元の第１の表中の位置および転記先の第２の表中の位置を指定する指定手段（例えば、クライアント２０のマウスのようなポインティングデバイス）と、
当該指定に応じて、前記記憶手段の中の、前記指定手段により指定された位置に対応する転記元のデータセットを転機先の位置に対応する記憶手段の記憶領域に転記する第１の制御手段（例えば、ワークメモリ上からデータセットを読み出し、別の領域に書き込むクライアント２０のＣＰＵ）と、
前記指定手段の指定に応じて表示画面中の前記第２の表の転記先の位置に、転記されたデータセットの中の特定の情報を表示させる第２の制御手段（例えば、ＨＴＭＬ文書の定義に基づきブラウザを実行するクライアント２０内のＣＰＵ）とを具えたことを特徴とする配送計画作成システム。
【０１００】
（請求項２）　　請求項１に記載の配送計画作成システムにおいて、前記指定手段はポインティングデバイスであって、該ポインティングデバイスのドラッグおよびドロップ操作（例えば、図９の画面上での操作）により前記転記元の位置および転記先の位置を指定することを特徴とする配送計画作成システム。
【０１０１】
（請求項３）　　請求項１に記載の配送計画作成システムにおいて、前記表示画面中の前記転記を行なった第１の表中の情報を前記転記を行なわない情報と区別して強調表示（例えば、上記実施形態の場合は、色を異ならせる、その他、点滅表示などが可能ＨＴＭＬ文書にて色を指定、ドラッグおよびドロップ処理のタイミングで色を変更）することを特徴とする配送計画作成システム。
【０１０２】
（請求項４）　　請求項１に記載の配送計画作成システムにおいて、前記表示画面中の第１の表および第２の表をそれぞれ個別に前記表示画面上に表示可能（例えば、図９の「最大化ボタン」７０４の操作で個別表示される）であることを特徴とする配送計画作成システム。
【０１０３】
（請求項５）　　請求項４に記載の配送計画作成システムにおいて、個別に表示された前記第１の表または第２の表の状態を前記第１の表および第２の表の双方を表示する状態に戻すことが可能（例えば、図９の「画面整列」ボタン７０２の操作で２つの表が表示される）なことを特徴とする配送計画作成システム。
【０１０４】
（請求項６）　　請求項１に記載の配送計画作成システムにおいて、前記第１の表で代表させる特定の情報を該情報が含まれるデータセットの中から選択可能（例えば、図９の表７０１中のメニュー７０６で選択する）とすることを特徴とする配送計画作成システム。
【０１０５】
（請求項７）　　請求項１に記載の配送計画作成システムにおいて、前記第２の表で代表させる特定の情報の種類を該情報が含まれるデータセットの情報の種類の中から選択可能（例えば、図９の表７１０中のメニュー７０６で選択）とすることを特徴とする配送計画作成システム。
【０１０６】
（請求項８）　　請求項１に記載の配送計画作成システムにおいて、前記指定手段の位置指定による前記記憶手段中の第１の表のデータセットの転記を禁止可能（例えば、図９の表７０１中のボタン７０８の操作）とすることを特徴とする配送計画作成システム
（請求項９）　　請求項８に記載の配送計画作成システムにおいて、前記表示画面中の第１の表の行ごとにチェックボタンを表示させ、該チェックボタンを前記指定手段による操作で前記第１の表のその行のデータセットの転記の許可／禁止を指示（例えば、図９の表７０１のボタン７０８参照）することを特徴とする配送計画作成システム。
【０１０７】
（請求項１０）　　請求項１に記載の配送計画作成システムにおいて、前記第２の表中での前記指定手段による転記元および転記先の位置指定に応じて、前記記憶手段中の第２の表のデータセットを転記可能（例えば、図９の表７１０中のボタン７０８の操作）とすることを特徴とする配送計画作成システム。
【０１０８】
なお、方法発明の対応個所は、上記手段の処理ステップであるので、詳細な対比説明は要しないであろう。
【０１０９】
上述の対応個所の説明に限らず、上記実施形態は本発明を説明するための一形態であって、本発明の技術思想に基づき、上記実施形態に対する種々の変形が可能であるが、本願明細書にその変形例が記載されていなくても、変形が自明、周知、公知であり、本願の特許請求の範囲に記載された発明の示す技術思想に基づく種々の変形は、本願発明の技術範囲内となる。
【０１１０】
【発明の効果】
以上、説明したように、本発明によれば、第１の表や第２の表の形態で、データセットを管理できる。マウスのようなポインティングデバイスの位置指定でデータセットの転記が可能となるので、ユーザの操作が容易となる。また、転記を行なったデータセットを他のデータセットと区別することで、配置計画を作成したデータセットと他のデータセットのユーザの判別が容易となる。さらに、第１の表及び第２の表を個別表示したり、表中の表示をデータセットの中の特定の情報で代表させることにより表を大きくすることなく画面内で上記表を表示することができるという効果をも奏する。
【図面の簡単な説明】
【図１】本発明実施形態のシステム構成を示すブロック図である。
【図２】サーバに搭載されるソフトウェアを示す説明図である。
【図３】本発明実施形態のサーバの構成を示すブロック図である。
【図４】本発明実施形態のクライアントの構成を示すブロック図である。
【図５】作業先関連の情報を入力、表示するための画面を示す説明図である。
【図６】作業先選択ボタンの表示例を示す説明図である。
【図７】作業先関連情報の入力が面の一例を示す説明図である。
【図８】作業先関連情報の要約の表示例を示す説明図である。
【図９】配送依頼の一覧および配送計画を表示する画面を示す説明図である。
【図１０】配送計画のための処理内容を示すフローチャートである。
【図１１】作業先関連情報の入力処理内容を示すフローチャートである。
【符号の説明】
１０　サーバ
２０　クライアント
３０　通信ネットワーク
【図１】
2004062680.tif 000003
【図２】
2004062680.tif 000004
【図３】
2004062680.tif 000005
【図４】
2004062680.tif 000006
【図５】
2004062680.tif 000007
【図６】
2004062680.tif 000008
【図７】
2004062680.tif 000009
【図８】
2004062680.tif 000010
【図９】
2004062680.tif 000011
【図１０】
2004062680.tif 000012
【図１１】
2004062680.tif 000013